(57)【要約】【課題】機器構成を容易に設定また変更することができ、柔軟性に富む光波長多重伝送システムを得る。【解決手段】光波長多重伝送システムは、波長多重送信部２−１〜２−４及び波長多重受信部３−１〜３−４とを有する波長多重送受信器１−１〜１−４と、複数の入力ポートと複数の出力ポートとを有し、各入力ポートから入力された波長多重信号光を互いに異なる出力ポートに分波するとともに複数の入力ポートから入力された同じ波長の信号光を各出力ポートに合波して出力する周回性波長多重合分波器４と、周回性波長多重合分波器４の入出力を合分波する光合分波器７−１〜７−４とを備えた光波長多重伝送システムであって、周回性波長多重合分波器４の入力ポート数Ｎと出力ポート数Ｎが同じとされ、周回性波長多重合分波器４の入力ポートと出力ポートのいずれか一方は、連続する複数個のポートを光合分波器７−１〜７−４によって結合されている。【選択図】    図１
2006041769.tif 000002
【特許請求の範囲】
【請求項１】
複数の波長の光信号を波長多重して波長多重信号光として送信する波長多重送信部及び波長多重信号光を複数の波長の光信号に分波して受信する波長多重受信部とを有する波長多重送受信器と、
複数の入力ポートと複数の出力ポートとを有し、入力ポートと出力ポートを結ぶ波長がそれぞれ１波長とされ、各入力ポートから入力された波長多重信号光を互いに異なる出力ポートに分波するとともに複数の入力ポートから入力された同じ波長の信号光を各出力ポートに合波して出力する周回性波長多重合分波器と、
前記周回性波長多重合分波器の入出力を合分波する光合分波器と
を備えた光波長多重伝送システムであって、
前記周回性波長多重合分波器の入力ポート数と出力ポート数とが同じとされ、
前記周回性波長多重合分波器の入力ポートと出力ポートのいずれか一方は、連続する複数個のポートを前記光合分波器によって結合されている
ことを特徴とする光波長多重伝送システム。
【請求項２】
前記波長多重送受信器及び前記光合分波器の台数がｒ（ｒは複数）、
前記波長多重送受信器間の最大通信波長数がｈ（ｈは複数）、
前記周回性波長多重合分波器の入力ポート数及び出力ポート数がともにＮ（Ｎ＝ｒｘｈ）、
入力ポートi（iは１からＮまでの整数）と出力ポートｊ（ｊは１からＮまでの整数）との間を透過する光の波長がλｋ（ｉ＋ｊ−１≦Ｎの場合にはｋ＝ｉ＋ｊ−１、ｉ＋ｊ−１＞Ｎの場合にはｋ＝ｉ＋ｊ−１−Ｎ）であり、
前記波長多重送信部の出力は、前記周回性波長多重合分波器の入力ポートのｐ番目（ｐは１からｈまでの整数）からｐ＋ｈｘｔ（ｔは１からｒ−１までの整数）番目に接続され、
前記周回性波長多重合分波器の出力ポートはｑ番目（ｑは１からＮまでの整数）からｑ＋ｈ−１（ｑ＋ｈ−１＞Ｎの場合にはｑ＋ｈ−１−Ｎ）番目までの連続するｈ個のポートを前記光合分波器によって結合されて前記波長多重受信部の入力に接続されている
ことを特徴とする請求項１に記載の光波長多重伝送システム。
【請求項３】
前記波長多重送受信器及び前記光合分波器の台数がｒ（ｒは複数）、
前記波長多重送受信器間の最大通信波長数がｈ（ｈは複数）、
前記周回性波長多重合分波器の入力ポート数及び出力ポート数がともにＮ個（Ｎ＝ｒｘｈ）、
入力ポートi（iは１からＮまでの整数）と出力ポートｊ（ｊは１からＮまでの整数）との間を透過する光の波長がλｋ（ｉ＋ｊ−１≦Ｎの場合にはｋ＝ｉ＋ｊ−１、ｉ＋ｊ−１＞Ｎの場合にはｋ＝ｉ＋ｊ−１−Ｎ）であり、
前記波長多重受信部の入力は、前記周回性波長多重合分波器の出力ポートのｑ番目（ｑは１からｈまでの整数）からｑ＋ｈｘｔ（ｔは１からｒ−１までの整数）番目に接続され、
前記周回性波長多重合分波器の入力ポートはｐ番目（ｐは１からＮまでの整数）からｐ＋ｈ−１（ｐ＋ｈ−１＞Ｎの場合にはｐ＋ｈ−１−Ｎ）番目までの連続するｈ個のポート前記光合分波器によって結合されて前記波長多重送信部の出力に接続されている
ことを特徴とする請求項１に記載の光波長多重伝送システム。
【請求項４】
前記波長多重送受信器及び前記光合分波器の台数がｒ（ｒは複数）、
前記波長多重送受信器間の最大通信波長数がｈ（ｈは複数）、
前記周回性波長多重合分波器の入力ポート数及び出力ポート数がともにＮ個（Ｎ＝ｒｘｈ）、
入力ポートi（iは１からＮまでの整数）と出力ポートｊ（ｊは１からＮまでの整数）との間を透過する光の波長がλｋ（ｉ＋ｊ−１≦Ｎの場合にはｋ＝ｉ＋ｊ−１、ｉ＋ｊ−１＞Ｎの場合にはｋ＝ｉ＋ｊ−１−Ｎ）であり、
前記波長多重送信部の出力は、前記周回性波長多重合分波器の入力ポートのｐ番目（ｐは１からＮまでの整数）からｐ＋ｒ−１（ｐ＋ｒ−１＞Ｎの場合にはｐ＋ｒ−１−Ｎ）番目の連続するｒ個のポートに接続され、
前記周回性波長多重合分波器の出力ポートは、ｑ番目（ｑは１からｒまでの整数）からｑ＋ｒｘｔ（ｔは１からｈ−１までの整数）番目までを接続する前記光合分波器によって結合されて前記波長多重受信部の入力に接続されている
ことを特徴とする請求項１に記載の光波長多重伝送システム。
【請求項５】
前記波長多重送受信器及び前記光合分波器の台数がｒ（ｒは複数）、
前記波長多重送受信器間の最大通信波長数がｈ波長（ｈは複数）、
前記周回性波長多重合分波器の入力ポート数及び出力ポート数がともにＮ個（Ｎ＝ｒｘｈ）、
入力ポートi（iは１からＮまでの整数）と出力ポートｊ（ｊは１からＮまでの整数）との間を透過する光の波長がλｋ（ｉ＋ｊ−１≦Ｎの場合にはｋ＝ｉ＋ｊ−１、ｉ＋ｊ−１＞Ｎの場合にはｋ＝ｉ＋ｊ−１−Ｎ）であり、
前記波長多重受信部の入力は、前記周回性波長多重合分波器の出力ポートのｑ番目（ｑは１からＮまでの整数）からｑ＋ｒ−１（ｐ＋ｒ−１＞Ｎの場合にはｐ＋ｒ−１−Ｎ）番目の連続するｒ個のポートに接続され、
前記周回性波長多重合分波器の入力ポートは、ｐ番目（ｐは１からｒまでの整数）からｐ＋ｒｘｔ（ｔは１からｈ−１までの整数）番目までを接続する前記光合分波器によって結合されて前記波長多重送信部の出力に接続されている
ことを特徴とする請求項１に記載の光波長多重伝送システム。
【請求項６】
前記光合分波器と前記波長多重受信部との間に光増幅器が設けられている
ことを特徴とする請求項１から５のいずれか１項に記載の光波長多重伝送システム。
【請求項７】
複数の波長の光信号を波長多重して波長多重信号光として送信する波長多重送信部及び波長多重信号光を複数の波長の光信号に分波して受信する波長多重受信部とを有する波長多重送受信器及び入出力ポートを合分波する光合分波器とともに光波長多重伝送システムを構成する周回性波長多重合分波器であって、
複数の入力ポートと該入力ポートと同じ数の出力ポートとを有し、入力ポートと出力ポートを結ぶ波長がそれぞれ１波長とされ、各入力ポートから入力された波長多重信号光を互いに異なる出力ポートに分波するとともに複数の入力ポートから入力された同じ波長の信号光を各出力ポートに合波して出力し、入力ポートと出力ポートのいずれか一方は、連続する複数個のポートを前記光合分波器によって結合されている
ことを特徴とする周回性波長多重合分波器。
【発明の詳細な説明】
【技術分野】
【０００１】
本発明は、波長多重された複数の光信号を複数の波長多重送受信器間において伝送する光波長多重伝送システムに関し、周期的な入出力関係の周回性波長多重合分波器を中心に配置するスター型の光波長多重伝送システム及びこのシステムに使用する周回性波長多重合分波器に関するものである。
【背景技術】
【０００２】
複数の光信号を異なる光波長に割当て１本の光ファイバで伝送する光波長多重伝送システムは、伝送路の容量を大幅に増大させるだけでなく、波長自身に信号の行き先情報を割当てることができる波長アドレシングが可能である。更に、ｒ台の波長多重送受信器間を接続するように周期的な入出力関係の分波特性を有する周回性波長多重合分波器を中心に配置するスター型の光波長多重伝送システムは、それぞれの信号光が互いに輻輳することなく伝送できる光波長多重伝送システムを実現することができる（例えば、特許文献１参照）。
【０００３】
周回性波長多重合分波器においては、入力ポートと出力ポートを結ぶ波長は通常１波長のみであるため、各波長多重送受信装置間の通信容量を拡大するには、入力ポート或いは出力ポートを光合分波器によって結合することにより実現する（例えば、特許文献２参照）。
【０００４】
図８は従来の光波長多重伝送システムの配線図である。図８において、光波長多重伝送システムは、入力ポートが４、出力ポートが１６の周回性波長多重合分波器１０４を有している。光波長多重伝送システムは、さらに４台の波長多重送受信器１０１−１〜１０１−４を有している。第１番目の波長多重送受信器１０１−１は波長多重送信部１０２−１と波長多重受信部１０３−４とを有している。第２番目の波長多重送受信器１０１−２は波長多重送信部１０２−２と波長多重受信部１０３−３とを有している。第３番目の波長多重送受信器１０１−３は波長多重送信部１０２−３と波長多重受信部１０３−２とを有している。第４番目の波長多重送受信器１０１−４は波長多重送信部１０２−４と波長多重受信部１０３−１とを有している。
【０００５】
この周回性波長多重合分波器１０４の入力ポート１０５の第ｉ（ｉ＝１，２，３，４）番目１０５−ｉは、第ｉ番目の波長多重送受信器１０１−ｉの波長多重送信部１０２−ｉの出力と光ファイバを介して接続されている。また、この周回性波長多重合分波器１０４の１６個の出力ポート１０６は、ｊ（ｊ＝１，２，３，４）番目、ｊ＋４番目、ｊ＋８番目及びｊ＋１２番目をそれぞれ結合する４台の光合波器１０７−ｉによって４本にまとめられ、それぞれ波長多重受信部１０３−ｉの入力と光ファイバを介して接続されている。
【０００６】
動作を説明する。各波長多重送受信器１０１−１〜１０１−４から波長多重されて伝送された波長λ１からλ１６の光信号は、周回性波長多重合分波器１０４の該当する入力ポート１０５−１〜１０５−４に入力されると、周回性波長多重合分波器１０４の有する波長分波機能により、それぞれの波長の違いに基づいてそれぞれ異なる出力ポート１０６−１〜１０６−１６へ出力される。出力ポート１０６−１〜１０６−１６へ出力された波長λ１からλ１６の光信号は、光合分波器１０７−１〜１０７−４により合波される。
【０００７】
図９は図８の周回性波長多重合分波器１０４の各入力ポート１０５−１〜１０５−４に入力された光信号が、波長の違いによってどの光合波器１０７−１〜１０７−４へ出力され、さらにどの波長多重受信部１０３−１〜１０３−４に入力されるかを表で表したものである。図９に示されるように、周回性波長多重合分波器１０４の入力ポート１０５−１〜１０５−４と出力ポート１０６−１〜１０６−１６の組み合わせに対して一意に波長が決まっており、４波長の通信が可能である。
【０００８】
【特許文献１】特開２００１−０５３７６０号公報
【特許文献２】特開２００２−０６２４５６号公報
【発明の開示】
【発明が解決しようとする課題】
【０００９】
波長多重送受信器数がＲ、波長多重送受信器間の通信波長数が２aの場合には、周回性波長多重合分波器の入力ポート数をＲ（Ｒは１以上の整数）、出力ポート数を２a・Ｒ（aは２以上の整数）とするため、同じ波長数２a・Ｒを使用する光波長多重伝送システムであっても波長多重送受信器数が２Ｒ、波長多重送受信器間の通信波長数が２a-1の場合には、新たに入力ポート数が２Ｒ、出力ポート数が２a-1・２Ｒである入力ポート数が異なる周回性波長多重合分波器を用意する必要があるという未解決の課題を有している。また入力ポート数が波長多重送受信器と同数のため、接続されるポートが限定されるという未解決の課題も有している。
【００１０】
本発明は、上記のような問題点を解決するためになされたもので、周回性波長多重合分波器の入力ポート数と出力ポート数を同数とし、入力ポートもしくは出力ポートを光合分波器によって結合することにより、波長多重送受信器と接続するポート、波長多重送受信器数及び波長多重送受信器間の通信波長数を容易に設定また変更することのできる柔軟性に富む光波長多重伝送システム及びこれに使用する周回性波長多重合分波器を得ることを目的とする。
【課題を解決するための手段】
【００１１】
この発明に係る光波長多重伝送システムは、複数の波長の光信号を波長多重して波長多重信号光として送信する波長多重送信部及び波長多重信号光を複数の波長の光信号に分波して受信する波長多重受信部とを有する波長多重送受信器と、複数の入力ポートと複数の出力ポートとを有し、入力ポートと出力ポートを結ぶ波長がそれぞれ１波長とされ、各入力ポートから入力された波長多重信号光を互いに異なる出力ポートに分波するとともに複数の入力ポートから入力された同じ波長の信号光を各出力ポートに合波して出力する周回性波長多重合分波器と、周回性波長多重合分波器の入出力を合分波する光合分波器とを備えた光波長多重伝送システムであって、周回性波長多重合分波器の入力ポート数と出力ポート数とが同じとされ、周回性波長多重合分波器の入力ポートと出力ポートのいずれか一方は、連続する複数個のポートを光合分波器によって結合されていることを特徴とする。
【発明の効果】
【００１２】
この発明に係る光波長多重伝送システムにおいては、周回性波長多重合分波器の入力ポート数と出力ポート数を同数とし、出力ポートを光合分波器によって結合することにより、波長多重送受信器と接続する入力ポート及び波長多重送受信器数と波長多重送受信器間の通信波長数を所定の条件の範囲内で変更して設定できるので、１種類の周回性波長多重合分波器により配線を変更して複数種の光波長多重伝送システムの構築が可能となる。すなわち、光波長多重伝送システムの柔軟性が向上する。そして、コストダウンを図ることができる。
【発明を実施するための最良の形態】
【００１３】
以下、本発明にかかる光波長多重伝送システム及び周回性波長多重合分波器を図面に基づいて詳細に説明する。なお、この実施の形態によりこの発明が限定されるものではない。
【００１４】
実施の形態１．
図１は本発明の光波長多重伝送システムの実施の形態１を示す配線図である。本実施の形態の光波長多重伝送システムにおいては、周回性波長多重合分波器４の入力ポート数Ｎ及び出力ポート数Ｎがともに１６、波長多重送受信器数ｒが４、波長多重送受信器間の最大通信波長数ｈが４とされている。ただし、これにより本発明の周回性波長多重合分波器の入出力ポート数、波長多重送受信器数、波長多重送受信器間の最大通信波長数が限定されるものではない。
【００１５】
図１において、光波長多重伝送システムは、１個の周回性波長多重合分波器４と、４個の波長多重送受信器１−１〜１−４と、４個の光合分波器７−１〜７−４とを有している。周回性波長多重合分波器４の入出力ポート数は、入力ポート数（Ｎ）が１６、出力ポート数（Ｎ）が１６とされている。つまり、周回性波長多重合分波器４は、１６個の入力ポート５−１〜５−１６と、１６個の出力ポート６−１〜６−１６とを有している。４個の波長多重送受信器１−１〜１−４は、それぞれ波長多重送信部２−１〜２−４及び波長多重受信部３−１〜３−４を有している。光合分波器７−１〜７−４は、入力ポート数が４、出力ポート数が１とされている。
【００１６】
４個の波長多重送受信器１−１〜１−４の波長多重送信部２−１〜２−４の出力は、周回性波長多重合分波器４の入力ポート５−１〜５−１６に、ｈポート、すなわち本実施の形態においては、４ポート毎に（３ポート飛びに）間をあけてそれぞれ接続されている。本実施の形態においては、第１番目の入力ポートの位置ｐが１とされているが、これにより本発明の波長多重送受信器に接続される周回性波長多重合分波器の入力ポートが限定されるものではない。
【００１７】
周回性波長多重合分波器４の１６個の出力ポート６−１〜６−１６は、連続するｈ個のポート、すなわち本実施の形態においては、連続する４個のポートが光合分波器７−１〜７−４の入力側に光ファイバを介して接続されている。本実施の形態においては、第１番目の出力ポートの位置ｑが１番目とされているが、これにより本発明の光合分波器に接続される周回性波長多重合分波器の出力ポートが限定されるものではない。光合分波器７−１〜７−４の出力は、波長多重受信部３−１〜３−４に、この順で接続されている。
【００１８】
本実施の形態の光波長多重伝送システムは、以下のような条件の下で接続及び機器の数を変更することができる。すなわち、波長多重送受信器及び光合分波器の台数がｒ、波長多重送受信器間の最大通信波長数がｈ、周回性波長多重合分波器の入力ポート数及び出力ポート数がともにＮ、入力ポートiと出力ポートｊとの間を透過する光の波長がλｋのとき、波長多重送信部の出力は、周回性波長多重合分波器の入力ポートのｐ番目からｐ＋ｈｘｔ番目に接続することができ、また、周回性波長多重合分波器の出力ポートはｑ番目からｑ＋ｈ−１番目までの連続するｈ個のポートを光合分波器によって結合されて波長多重受信部の入力に接続することができる。
【００１９】
なお、このとき、ｒは複数、ｈは複数、Ｎ＝ｒｘｈ、iは１からＮまでの整数、ｊは１からＮまでの整数、ｋはｉ＋ｊ−１≦Ｎの場合にはｋ＝ｉ＋ｊ−１、ｉ＋ｊ−１＞Ｎの場合にはｋ＝ｉ＋ｊ−１−Ｎ、ｐは１からｈまでの整数、ｔは１からｒ−１までの整数、ｑは１からＮまでの整数であり、また、出力ポートのｑ＋ｈ−１番目は、ｑ＋ｈ−１＞Ｎの場合にはｑ＋ｈ−１−Ｎ番目となる。
【００２０】
動作を説明する。各波長多重送受信器１−１〜１−４から波長多重されて伝送された波長λ１からλ１６の光信号が、周回性波長多重合分波器４の該当する入力ポート５−１、５−５、５−９、５−１３に入力されると、周回性波長多重合分波器４の有する波長分波機能により、それぞれの波長の違いに基づいてそれぞれ異なる出力ポート６−１〜６−１６へ出力される。出力ポート６−１〜６−１６へ出力された波長λ１からλ１６の光信号は、光合分波器７−１〜７−４により合波される。周回性波長多重合分波器４は例えばアレイ導波路回折格子型分波器で構成される。
【００２１】
図２は図１の光波長多重伝送システムにおける入出力波長配置を示す図表である。白地の波長が波長多重送受信器間に用いる波長である。同図に示されるように、全ての入力ポートと出力ポートの組み合わせを４波長で通信することができる。
【００２２】
以上のように、本実施の形態の光波長多重伝送システムにおいては、周回性波長多重合分波器４の入力ポート数（Ｎ）と出力ポート数（Ｎ）とを同数とし、出力ポートを光合分波器７−１〜７−４によって結合することにより、波長多重送受信器１−１〜１−４と接続する入力ポート及び波長多重送受信器数（ｒ）と波長多重送受信器１−１〜１−４間の通信波長数（ｈ）を所定の条件の範囲内で設定できる。そのため、例えば、波長多重送受信器数がＲで波長多重送受信器間の通信波長数が２aの場合と、波長多重送受信器数が２Ｒで波長多重送受信器間の通信波長数が２a-1の場合のどちらの場合においても同じ周回性波長多重合分波器４にて対応することができる。また、入力ポート数が波長多重送受信器数に比べて数が多く接続されるポートが限定されることもない。このように柔軟性のある光波長多重伝送システムの構築が可能となる。
【００２３】
なお、本実施の形態の周回性波長多重合分波器４の出力ポート６−１〜６−１６を合波する光合分波器７−１〜７−４の出力ポートを当該波長多重送受信器１−１〜１−４の出力と接続される入力ポートとし、当該周回性波長多重合分波器の入力ポート５−１〜５−１６を当該波長多重送受信器１−１〜１−４の入力と接続される出力ポートとしても、同様の効果を得ることができる。つまり、入出力の方向を入れ替えても同様の効果を得ることができる。
【００２４】
実施の形態２．
図３は本発明の光波長多重伝送システムの実施の形態２を示す配線図である。本実施の形態の光波長多重伝送システムにおいては、４個の波長多重送受信器１−１〜１−４の波長多重送信部２−１〜２−４の出力は、周回性波長多重合分波器４の連続するｒ個の入力ポート、すなわち、本実施の形態の場合には５−３〜５−６の４ポートに光ファイバを用いて順に接続されている。本実施の形態においては、第１番目の入力ポートの位置ｐが３番目とされているが、これにより本発明の波長多重送受信器に接続される周回性波長多重合分波器の入力ポートが限定されるものではない。
【００２５】
周回性波長多重合分波器４の出力ポート６−１〜６−１６は、ｒポート、すなわち本実施の形態においては、４ポート毎に（３ポート飛びに）間をあけて離れている４個のポートが、それぞれ光合分波器７−１〜７−４の入力側に光ファイバを介して接続されている。本実施の形態においては、第１番目の出力ポートの位置ｑが１番目とされているが、これにより本発明の光合分波器に接続される周回性波長多重合分波器の出力ポートが限定されるものではない。光合分波器７−１〜７−４の出力は、波長多重受信部３−１〜３−４に、この順で接続されている。
【００２６】
本実施の形態の光波長多重伝送システムは、以下のような条件の下で接続及び機器の数を変更することができる。すなわち、波長多重送受信器及び光合分波器の台数がｒ、波長多重送受信器間の最大通信波長数がｈ、周回性波長多重合分波器の入力ポート数及び出力ポート数がともにＮ、入力ポートiと出力ポートｊとの間を透過する光の波長がλｋのとき、波長多重送信部の出力は、周回性波長多重合分波器の入力ポートのｐ番目からｐ＋ｈｘｔ番目に接続することができ、周回性波長多重合分波器の出力ポートはｑ番目番目までの連続するｈ個のポートを光合分波器によって結合されて波長多重受信部の入力に接続することができる。
【００２７】
なお、このとき、ｒは複数、ｈは複数、Ｎ＝ｒｘｈ、iは１からＮまでの整数、ｊは１からＮまでの整数、ｋはｉ＋ｊ−１≦Ｎの場合にはｋ＝ｉ＋ｊ−１、ｉ＋ｊ−１＞Ｎの場合にはｋ＝ｉ＋ｊ−１−Ｎ、ｐは１からｈまでの整数、ｔは１からｒ−１までの整数、ｑは１からＮまでの整数であり、また、出力ポートのｑ＋ｈ−１番目は、ｑ＋ｈ−１＞Ｎの場合にはｑ＋ｈ−１−Ｎ番目となる。
【００２８】
動作を説明する。各波長多重送受信器１−１〜１−４から波長多重されて伝送された波長λ１からλ１６の光信号が、周回性波長多重合分波器４の該当する入力ポート５−３、５−４、５−５、５−６に入力されると、周回性波長多重合分波器４の有する波長分波機能により、それぞれの波長の違いに基づいてそれぞれ異なる出力ポート６−１〜６−１６へ出力される。出力ポート６−１〜６−１６へ出力された波長λ１からλ１６の光信号は、光合分波器７−１〜７−４により合波される。
【００２９】
図４は図３の光波長多重伝送システムにおける入出力波長配置を示す図表である。白地の波長が波長多重送受信器間に用いる波長である。図３に示されるように、全ての入力ポートと出力ポートの組み合わせを４波長で通信することができる。
【００３０】
以上のように、本実施の形態の光波長多重伝送システムにおいては、周回性波長多重合分波器４の入力ポート数（Ｎ）と出力ポート数（Ｎ）とを同数とし、出力ポートを光合分波器７−１〜７−４によって結合することにより、波長多重送受信器１−１〜１−４と接続する入力ポート及び波長多重送受信器数（ｒ）と波長多重送受信器１−１〜１−４間の通信波長数（ｈ）を所定の条件の範囲内で設定できる。これにより柔軟な光波長多重伝送システムの構築が可能である。
【００３１】
なお、本実施の形態の周回性波長多重合分波器４の出力ポート６−１〜６−１６を合波する光合分波器７−１〜７−４の出力ポートを当該波長多重送受信器１−１〜１−４の出力と接続される入力ポートとし、当該周回性波長多重合分波器の入力ポート５−１〜５−１６を当該波長多重送受信器１−１〜１−４の入力と接続される出力ポートとしても、同様の効果を得ることができる。つまり、入出力の方向を入れ替えても同様の効果を得ることができる。
【００３２】
実施の形態３．
図５は本発明の光波長多重伝送システムの実施の形態３を示す配線図である。図５に示されるように、本実施の形態の光波長多重伝送システムにおいては、光合分波器７−１〜７−４と波長多重受信部３−１〜３−４との間にそれぞれ光増幅器８−１〜８−４が設けられている。その他の構成は実施の形態２と同様である。
【００３３】
本実施の形態の光波長多重伝送システムにおいては、光合分波器７−１〜７−４の出力に損失を補償するための光増幅器８−１〜８−４が配設されている。これにより伝送距離を犠牲にすることなく通信波長数の増加が実現でき、さらに柔軟な光波長多重伝送システムの構築が可能である。
【００３４】
実施の形態４．
図６は本発明の光波長多重伝送システムの実施の形態４を示す配線図である。本実施の形態の光波長多重伝送システムにおいては、実施の形態１の光波長多重伝送システムが一部変更されている。まず、波長多重送受信器１−１の通信波長数ｇが３とされている。
【００３５】
そして、これに伴い、波長多重送受信器１−１に接続される光合分波器７−１の入力ポート数ｇが３とされ、光合分波器７−１に接続される周回性波長多重合分波器４の出力ポートは、出力ポート６−１〜６−３のｇ個のポートとされている。そして、残る６−４ポートには、５番目となる新たな別の波長多重送受信器１−５が接続されている。
【００３６】
本実施の形態においては、出力ポート６−１〜６−４の４個の出力ポートが、さらに出力ポート６−１〜６−３と出力ポート６−４の２つのグループに分けられて、それぞれ、波長多重送受信器１−１と波長多重送受信器１−５に接続されているが、これに限定されるものでなく、出力ポート６−１〜６−４がさらに別のグループ分けとされてもよいし、さらに、出力ポート６−５〜６−８、出力ポート６−９〜６−１２、出力ポート６−１３〜６−１６の夫々のグループが、さらに細かくグループ分けされてもよい。このような構成とすることにより、通信波長数に応じて柔軟に周回性波長多重合分波器に接続される波長多重送受信器数を変更することができる。
【００３７】
図７は図６の光波長多重伝送システムにおける入出力波長配置を示す図表である。白地の波長が波長多重送受信器間に用いる波長である。図７に示されるように、波長多重送受信器１−１と波長多重送受信器１−２、１−３、１−４との間は３波長で、また、波長多重送受信器１−５と波長多重送受信器１−１、１−２、１−３、１−４との間は１波長で、波長多重送受信器１−２、１−３、１−４間では４波長で通信することができる。このような構成とすることにより、さらに柔軟性のある光波長多重伝送システムの構築が可能となる。
【産業上の利用可能性】
【００３８】
本発明は、光通信ネットワークに適用して有用なものであり、特に、波長多重された複数の光信号を複数の波長多重送受信器間において伝送する光通信ネットワークに適用して有用なものである。
【図面の簡単な説明】
【００３９】
【図１】本発明の光波長多重伝送システムの実施の形態１を示す配線図である。
【図２】図１の光波長多重伝送システムにおける入出力波長配置を示す図表である。
【図３】本発明の光波長多重伝送システムの実施の形態２を示す配線図である。
【図４】図３の光波長多重伝送システムにおける入出力波長配置を示す図表である。
【図５】本発明の光波長多重伝送システムの実施の形態３を示す配線図である。
【図６】本発明の光波長多重伝送システムの実施の形態４を示す配線図である。
【図７】図６の光波長多重伝送システムにおける入出力波長配置を示す図表である。
【図８】従来の光波長多重伝送システムを示す配線図である。
【図９】図８の光波長多重伝送システムにおける入出力波長配置を示す図表である。
【符号の説明】
【００４０】
１−１〜１−４  波長多重送受信器
２−１〜２−４  波長多重送信部
３−１〜３−４  波長多重受信部
４  周回性波長多重合分波器
５−１〜５−１６  入力ポート
６−１〜６−１６  出力ポート
７−１〜７−４  光合分波器
８−１〜８−４  光増幅器
【図１】
2006041769.tif 000003
【図２】
2006041769.tif 000004
【図３】
2006041769.tif 000005
【図４】
2006041769.tif 000006
【図５】
2006041769.tif 000007
【図６】
2006041769.tif 000008
【図７】
2006041769.tif 000009
【図８】
2006041769.tif 000010
【図９】
2006041769.tif 000011